(57)【要約】【課題】オットマンを収納展開させる構成を少ない部品点数で合理的に構成する。【解決手段】シートクッション３の前部３Ｆにオットマン４が収納展開可能に配設された車両用シート１であって、オットマン４を支持するベース板５Ｂと、オットマン４にシートバック２の姿勢変化に伴う動作移動量を伝達する伝達部材（シートクッション３のサイドフレーム３Ａ）とを有する。オットマン４とベース板５Ｂとの連結は、ベース板５Ｂに設けられたスライドピン５Ｐがオットマン４に形成された長孔４Ｃ１内にスライド可能に嵌め込まれることで行われ、シートバック２を通常使用位置から安楽姿勢位置へと姿勢変化させることにより、伝達部材（サイドフレーム３Ａ）を介してオットマン４が上記長孔４Ｃ１の形状案内により展開位置まで移動され、シートバック２を戻すことにより、オットマン４が収納位置へと戻される。【選択図】図５
2013169387.tif 000002
【特許請求の範囲】
【請求項１】
シートクッションの前部に足載せとなるオットマンが収納展開可能に配設された車両用シートであって、
前記オットマンを支持するベースと、
前記オットマンに前記シートクッション又はシートバックの姿勢変化に伴う動作移動量を伝達する伝達部材と、を有し、
前記オットマンと前記ベースとの連結は、これらのうちの一方に設けられたスライドピンが他方に形成された長孔内にスライド可能に嵌め込まれることで前記オットマンが前記ベースに対して所定の収納位置と所定の展開位置との間で前後方向に収納展開動作可能な状態に支持された連結とされ、前記伝達部材は、前記シートクッション又は前記シートバックを通常使用位置から所定の安楽姿勢位置へと姿勢変化させることにより前記オットマンを前記所定の収納位置から前記所定の展開位置へと展開させ、前記シートクッション又は前記シートバックを前記所定の安楽姿勢位置から前記通常使用位置へと戻すことにより前記オットマンを前記所定の展開位置から前記所定の収納位置へと収納させるようになっていることを特徴とする車両用シート。
【請求項２】
請求項１に記載の車両用シートであって、
前記伝達部材は、前記シートバックと前記オットマンとを連結し前記シートクッションの骨格を成す骨格部材として構成され、前記シートバックの背凭れ角度を前記通常使用位置となる起立寄りの位置から前記所定の安楽姿勢位置となる後方側へ傾倒させた位置へと倒し込むことにより、前記シートクッションが前方側へスライドすると共に、前記オットマンが前記所定の展開位置へと展開されるようになっていることを特徴とする車両用シート。
【請求項３】
請求項１又は請求項２に記載の車両用シートであって、
前記オットマンは、前記伝達部材の前部に起倒回転可能にヒンジ連結された状態として設けられ、前記伝達部材は、前記シートクッション又は前記シートバックを前記通常使用位置から前記所定の安楽姿勢位置へと姿勢変化させる動作の伝達を受けることで、その前部が前方斜め上方側に移動するように前記ベースに対して支持されており、該伝達部材の前部の前方斜め上方側への移動により前記オットマンが前記スライドピンと前記長孔との案内形状に従って前記ベースに対して垂下姿勢の状態から前方側へ上向きに回転しながら前記所定の展開位置へと押し動かされる構成となっていることを特徴とする車両用シート。
【発明の詳細な説明】
【技術分野】
【０００１】
本発明は、車両用シートに関する。詳しくは、シートクッションの前部に足載せとなるオットマンが収納展開可能に配設された車両用シートに関する。
【背景技術】
【０００２】
従来、オットマン（足載せ）付きの車両用シートにおいて、オットマンを複数のリンクを用いた回転運動により収納展開動させるようにした構成が知られている（特許文献１）。
【先行技術文献】
【特許文献】
【０００３】
【特許文献１】特開２０１０−２４７８１０号公報
【発明の概要】
【発明が解決しようとする課題】
【０００４】
しかし、上記従来技術では、複数のリンクを必要とするため、部品点数が多く、また、各リンクを回転運動させるための作動スペースも広く必要とする構成となっている。本発明は、上記問題を解決するものとして創案されたものであって、本発明が解決しようとする課題は、オットマンを収納展開させる構成を少ない部品点数で合理的に構成することにある。
【課題を解決するための手段】
【０００５】
上記課題を解決するために、本発明の車両用シートは次の手段をとる。
第１の発明は、シートクッションの前部に足載せとなるオットマンが収納展開可能に配設された車両用シートであって、オットマンを支持するベースと、オットマンにシートクッション又はシートバックの姿勢変化に伴う動作移動量を伝達する伝達部材と、を有する。オットマンとベースとの連結は、これらのうちの一方に設けられたスライドピンが他方に形成された長孔内にスライド可能に嵌め込まれることでオットマンがベースに対して所定の収納位置と所定の展開位置との間で前後方向に収納展開動作可能な状態に支持された連結とされている。伝達部材は、シートクッション又はシートバックを通常使用位置から所定の安楽姿勢位置へと姿勢変化させることにより、オットマンを所定の収納位置から所定の展開位置へと展開させ、シートクッション又はシートバックを所定の安楽姿勢位置から通常使用位置へと戻すことにより、オットマンを所定の展開位置から所定の収納位置へと収納させるようになっている。
【０００６】
この第１の発明によれば、オットマンをベースに対して長孔とスライドピンの連結構造により連結し、このオットマンにシートバック又はシートクッションの姿勢変化に伴う動作移動量を伝達する伝達部材を設定した簡素な構成により、シートクッション又はシートバックを通常使用位置から所定の安楽姿勢位置へと姿勢変化させたりその逆の動作をさせたりすることでオットマンを連動させて展開収納させられる構成を得ることができる。このように、オットマンを収納展開させる構成を少ない部品点数で合理的に構成することができる。
【０００７】
第２の発明は、上述した第１の発明において、次の構成となっているものである。伝達部材が、シートバックとオットマンとを連結しシートクッションの骨格を成す骨格部材として構成されている。シートバックの背凭れ角度を通常使用位置となる起立寄りの位置から所定の安楽姿勢位置となる後方側へ傾倒させた位置へと倒し込むことにより、シートクッションが前方側へスライドすると共に、オットマンが所定の展開位置へと展開されるようになっている。
【０００８】
この第２の発明によれば、シートバックを後傾させて安楽姿勢に切り替える動作に合わせて、シートクッションも上記安楽姿勢に対応した前方側の位置へスライドさせることができ、より合理的な構成で、オットマンを含めた車両用シートの姿勢全体を、通常姿勢と安楽姿勢とに切り替えることができる。
【０００９】
第３の発明は、上述した第１又は第２の発明において、次の構成となっているものである。オットマンは、伝達部材の前部に起倒回転可能にヒンジ連結された状態として設けられている。伝達部材は、シートクッション又はシートバックを通常使用位置から所定の安楽姿勢位置へと姿勢変化させる動作の伝達を受けることで、その前部が前方斜め上方側に移動するようにベースに対して支持されている。伝達部材の前部の前方斜め上方側への移動により、オットマンがスライドピンと長孔との案内形状に従って、ベースに対して垂下姿勢の状態から前方側へ上向きに回転しながら所定の展開位置へと押し動かされる構成となっている。
【００１０】
この第３の発明によれば、伝達部材が、シートクッション又はシートバックを安楽姿勢に切り替える動作により、その前部が前方斜め上方側に移動するようにベースに対して支持されていることにより、伝達部材が前側に押し動かされる動作によって、伝達部材とオットマンとの連結部が前方斜め上方側に効率的に押し動かされるようになる。したがって、長孔の形状を立ち上げる形状にしなくても、伝達部材の動きによって、オットマンを効率的に前方斜め上方側（足載せ位置を上げる方向）に動かしながら上向きに回転させられるようにすることができる。
【図面の簡単な説明】
【００１１】
【図１】実施例１の車両用シートの外観を示した斜視図である。
【図２】車両用シートを安楽姿勢に切り替えた状態を示した斜視図である。
【図３】オットマンとシートクッションフレームとの連結部の分解斜視図である。
【図４】車両用シートの側面図である。
【図５】車両用シートを安楽姿勢に切り替えていく途中の状態を示した側面図である。
【図６】車両用シートを安楽姿勢に切り替えた状態を示した側面図である。
【図７】実施例２の車両用シートの構成を示した側面図である。
【図８】シートクッションを安楽姿勢に切り替えた状態を示した側面図である。
【発明を実施するための形態】
【００１２】
以下に、本発明を実施するための形態について、図面を用いて説明する。
【実施例１】
【００１３】
始めに、実施例１の車両用シート１の構成について、図１〜図６を用いて説明する。本実施例の車両用シート１は、図１に示すように、３列シートを備える車両の２列目に配設された、いわゆる１人掛け用のキャプテンシートの構成となっており、着座乗員の背凭れとなるシートバック２と、着座部となるシートクッション３と、を備える。上記シートクッション３の前部３Ｆには、着座乗員が足載せとして使用することのできるオットマン４が配設されている。
【００１４】
このオットマン４は、シートバック２が通常、背凭れとして使用される起立寄りの背凭れ角度位置の状態にある時には、シートクッション３の前下部に畳み込まれた収納位置の状態に保持された状態となっている。上記オットマン４は、図２に示すように、シートバック２を上記通常使用位置から安楽姿勢となる後傾位置まで倒し込むことにより、この動作に連動して、足載せとして使用可能となる上向きに起し上げられた展開位置の状態に切り替えられる。また、オットマン４は、上記シートバック２を上記後傾位置から通常の起立寄りの位置まで起し上げることにより、上記とは逆方向に動かされて、再び、シートクッション３の前下部に畳み込まれた収納位置に戻されるようになっている。
【００１５】
上記車両用シート１の左右両側部には、フロア上から立壁状に起立する横壁５が設けられており、車両用シート１は、これら横壁５に連結されて支持されている。詳しくは、各横壁５は、図３に示すように、その内部のベース板５Ｂの下部が、スライド装置７を介してフロア上に連結された構成となっており、フロアに対する設置位置を前後方向に調節することができるようになっている。ここで、ベース板５Ｂが、本発明の「ベース」に相当する。なお、各スライド装置７の基本構造は、特開２０１０−２２１９３５号公報等の文献に開示された公知のものと同じ構成となっているため、これらの具体的な構成についての説明は省略することとする。上述した各横壁５は、それらの上面部が、着座乗員が肘掛けとして使用することのできるアームレスト５Ａとして設定されている。
【００１６】
上記車両用シート１は、上述した各横壁５に対して、図１で前述した通常使用位置の状態と、図２で前述した安楽姿勢位置の状態と、に切り替えられるように連結された状態となっている。以下、上記車両用シート１の各部の構成、及び各横壁５に対する連結構造について詳しく説明する。シートバック２は、図４に示すように、その左右両側部の骨格を成す縦長状の各サイドフレーム２Ａが、それらの両外側に位置する各横壁５（ベース板５Ｂ）に対して、それぞれ、回転止め可能な回転軸装置として機能するリクライニング装置６を間に介して連結されている。これにより、シートバック２が、各リクライニング装置６の作動により、各横壁５に対して背凭れ角度の調節が行える状態に連結された状態とされている。
【００１７】
上記各リクライニング装置６は、常時は、シートバック２の背凭れ角度（回転角度）をロックした状態に保持されており、車両外側の横壁５等の箇所に設定された図示しない解除レバーを引き上げる操作により、それらのロック状態が一斉に解除されるようになっている。各リクライニング装置６のロックの解除により、シートバック２は、図４〜図６に示すように、各リクライニング装置６の同軸上の位置に設定された中心点６Ａのまわりに前後方向に回転（傾動）することができる状態となる。各リクライニング装置６は、上記解除レバーの操作を解除することにより、再び、シートバック２の背凭れ角度をロックした状態に戻される。なお、各リクライニング装置６の基本構造は、特開２０１１−１１６３０３号公報等の文献に開示されたものと同じものとなっているため、その具体的な説明は省略することとする。
【００１８】
シートクッション３は、その左右両側部の骨格を成す前後方向に長尺な各サイドフレーム３Ａが、それらの中間部において、それらの両外側に位置する各横壁５（ベース板５Ｂ）に連結され、それらの後端部において、上述したシートバック２の各サイドフレーム２Ａに連結された状態として設けられている。詳しくは、シートクッション３の各サイドフレーム３Ａは、それらの中間部が、各横壁５（ベース板５Ｂ）に対して、前上がり方向に斜めにスライドすることができる状態に連結されている。具体的には、図３に示すように、シートクッション３の各サイドフレーム３Ａの中間部には、それぞれ外方向に突出するスライドピン３Ｐ２が設けられており、これらスライドピン３Ｐ２が、各横壁５（ベース板５Ｂ）に形成された前上がり方向に湾曲する形状の各長孔５Ｃ内に嵌め込まれることで、これらの孔形状に沿ってスライドすることができるように連結された構成となっている。
【００１９】
また、図４〜図６に示すように、シートクッション３の各サイドフレーム３Ａは、それらの後端部が、シートバック２の各サイドフレーム２Ａの後端部に対して、前後方向に揺動回転可能な状態となるように軸連結されている。具体的には、シートクッション３の各サイドフレーム３Ａの後端部には、シートクッション３の外形形状よりも後方側に延出する延出部３Ｂが形成されており、これら延出部３Ｂが、シートバック２の各サイドフレーム２Ａの下端部に形成された、シートバック２の外形形状よりも下方側に延出する各延出部２Ｂに対し、それぞれ連結ピン３Ｐ１により回転可能に軸連結された構成となっている。
【００２０】
上記シートクッション３は、図４に示すように、シートバック２の背凭れ角度が、通常使用位置となる起立寄りの角度位置にある状態では、各サイドフレーム３Ａの中間部に設けられた各スライドピン３Ｐ２が、各横壁５（ベース板５Ｂ）の長孔５Ｃの後下側の端部に位置した状態として、シートバック２の背凭れ角度位置に対する適切な着座位置となる後方寄りの通常使用位置の状態に保持された状態とされている。しかし、シートクッション３は、図５〜図６に示すように、シートバック２の背凭れ角度が、上記通常使用位置から安楽姿勢となる後方側に向けて倒し込まれることにより、上記連結ピン３Ｐ１を介して前方側に押し動かされる。これにより、シートクッション３は、上述した各スライドピン３Ｐ２が各長孔５Ｃの形状に沿ってスライドすることで、その姿勢を前斜め上向きに変えながら、前部３Ｆが前方斜め上方側に押し動かされていくようになっている。
【００２１】
上記の移動により、シートクッション３は、シートバック２が図６に示す安楽姿勢の位置まで倒し込まれることにより、その前部３Ｆが前方側に移動して、着座乗員の大腿部を高い位置で支えることができるように持ち上げられた状態となる。これにより、シートクッション３は、上記倒し込まれたシートバック２に凭れ掛かる着座乗員の姿勢を、骨盤に対する大腿部の角度（ヒップ角）が広くなり過ぎないように、大腿部を前部３Ｆによって持ち上げた安楽な姿勢で支えられる状態（安楽姿勢状態）となる。上記シートクッション３は、シートバック２の背凭れ角度が上述した各リクライニング装置６のロックによって固定されることにより、その位置も固定されるようになっている。
【００２２】
オットマン４は、図３に示すように、足載せ台となる板状のオットマン本体４Ａと、オットマン本体４Ａの左右両側部に結合されたサイドフレーム４Ｂと、各サイドフレーム４Ｂの上端部に後方側に延出して形成されたアーム部４Ｃと、オットマン本体４Ａの板面上に面方向にスライドさせられる状態に組み付けられたスライド板４Ｄと、を有する。オットマン本体４Ａは、その左右両側部に結合された各サイドフレーム４Ｂの上端部が、それぞれ、連結ピン３Ｐ３により、シートクッション３の各サイドフレーム３Ａの前端部に回転可能な状態に軸連結されて設けられている。ここで、シートクッション３の各サイドフレーム３Ａが、本発明の「伝達部材」に相当する。上記シートクッション３の各サイドフレーム３Ａの前端部同士は、これらの間にシートクッション３の前部３Ｆの骨格を成すフロントフレーム３Ｆａが架け渡されて剛結合されていて、互いに強固に一体的に結合された状態とされている。
【００２３】
上記オットマン本体４Ａは、上述した連結により、車両用シート１が図４に示す通常使用位置の状態にあるときには、シートクッション３の前側部に重なるようにコンパクトに畳み込まれた収納状態に保持される。この状態において、オットマン４の各サイドフレーム４Ｂの上端部から後方側へ延びる各アーム部４Ｃは、上側に凹となる形で後ろ上がり方向に湾曲状に延出する形状となっている。これらアーム部４Ｃは、その後方側へ延びる形状の立ち上がりが僅かであり、ほぼ水平に近い状態であるため、シートクッション３の外形形状から上方側に張り出すことなく、シートクッション３の形状内にコンパクトに収まった状態とされている。これらアーム部４Ｃには、各アーム部４Ｃの形状と同じ、上側に凹となる僅かに湾曲した形状の長孔４Ｃ１が軸方向（シート幅方向）に貫通されて形成されている。
【００２４】
図３に示すように、上述した各アーム部４Ｃは、それらの長孔４Ｃ１内に、各横壁５のベース板５Ｂに設けられた内方向に突出する各スライドピン５Ｐが嵌め込まれていることにより、各横壁５（ベース板５Ｂ）に対する回転姿勢が、各長孔４Ｃ１の形状により定められた状態とされている。すなわち、図４に示すように、上述した各長孔４Ｃ１は、オットマン本体４Ａの回転中心（連結ピン３Ｐ３）まわりの円弧形状とはなっておらず、各アーム部４Ｃ（オットマン本体４Ａ）の回転姿勢は、各スライドピン５Ｐが係合している各長孔４Ｃ１の形状によって拘束されるようになっている。したがって、上記各長孔４Ｃ１と各スライドピン５Ｐとの係合構造により、通常時のオットマン本体４Ａの回転姿勢が、上記シートクッション３の前側部に重なるようにコンパクトに畳み込まれた収納位置に規制された状態として保持されている。ここで、上記各長孔４Ｃ１が、本発明の「長孔」に相当し、各スライドピン５Ｐが、本発明の「スライドピン」に相当する。
【００２５】
上記オットマン本体４Ａは、図５に示すように、前述したシートバック２（の各サイドフレーム２Ａ）が後方側に倒し込まれる動作によってシートクッション３（の各サイドフレーム３Ａ）が前斜め上向きに押し動かされると、各サイドフレーム４Ｂの上端部がそれぞれ連結ピン３Ｐ３を介してシートクッション３の各サイドフレーム３Ａにより押される態様で、前方斜め上方側に押し動かされる。このとき、オットマン本体４Ａは、その押し動かされる動作によって、各アーム部４Ｃの長孔４Ｃ１が、各横壁５（ベース板５Ｂ）に対して固定されているスライドピン５Ｐに対して前方側へ滑るように移動する。これにより、オットマン本体４Ａ（アーム部４Ｃ）の姿勢が、上記押し動かされる動作に伴って、各長孔４Ｃ１の形状に案内されながら前方側へと起し上げられていく。
【００２６】
上記オットマン本体４Ａが前方側に起し上げられる移動は、シートクッション３の前部３Ｆが上側に持ち上げられる移動を伴うことにより、各長孔４Ｃ１の形状が初期時に水平に近い状態となっているにも拘らず、上方側に効率的に持ち上げられるように移動案内されるようになっている。また、各長孔４Ｃ１がストレートな形状ではなく、僅かに上側に凹となる湾曲した形状となっていることにより、上記移動時に各スライドピン５Ｐが各長孔４Ｃ１の内周面に押圧される力が軽減されて、スライド移動がつっかえることなくスムーズに行えるようになっている。したがって、上記シートバック２が図６に示すように安楽姿勢の位置まで倒し込まれることにより、オットマン本体４Ａは、それ自体の位置が前方斜め上方側に移動されると共に、上向きに角度が変えられて、着座乗員の下腿部を載置することができる展開位置の状態となる。
【００２７】
上記オットマン本体４Ａは、上記展開位置の状態では、その上に着座乗員の下腿部が置かれても、上記各長孔４Ｃ１と各スライドピン５Ｐとの係合構造により、その回転姿勢が規制された状態に保たれる。したがって、オットマン本体４Ａは、その回転中心（連結ピン３Ｐ３）から後方下側に離間した遠い位置で、上記各長孔４Ｃ１と各スライドピン５Ｐとの係合構造により支えられた状態として、着座乗員の下腿部の荷重を強い力で支えられる状態となる。なお、オットマン本体４Ａの回転姿勢の固定は、シートバック２の背凭れ角度が上述した各リクライニング装置６のロックによって固定されることにより行われるようになっている。上記オットマン本体４Ａは、シートバック２を上記後傾位置から通常の起立寄りの位置まで起し上げることにより、上記とは逆方向に動かされて、再び、シートクッション３の前下部に畳み込まれた収納位置に戻されるようになっている（図４参照）。
【００２８】
ところで、図６に示すように、上述したようにオットマン本体４Ａを展開位置へと起し上げることにより、その上面部に配設されているクッションパッド３Ｃも前側に起こし上げられる。このクッションパッド３Ｃは、シートクッション３の着座面部に設定されたクッションパッド３Ｃの一部が前側に延長されて形成されたものであり、上記のようにオットマン本体４Ａが展開されて持ち上げられることにより、その厚みによるオットマン本体４Ａとの回転中心の高さの違いにより、その先端部（下端部）がオットマン本体４Ａよりも前側に迫り出すように相対移動するようになっている。そこで、このクッションパッド３Ｃの前側に迫り出した部分の支持も行えるように、オットマン本体４Ａには、クッションパッド３Ｃの動きに追従して移動するスライド板４Ｄが取り付けられている。
【００２９】
上記スライド板４Ｄは、図３に示すように、オットマン本体４Ａの足載せ面（前面）上に面方向にスライドすることができる状態に取り付けられている。具体的には、スライド板４Ｄの裏面部には、その左右２箇所の位置にスライダ４Ｄ１が取り付けられており、これらスライダ４Ｄ１が、オットマン本体４Ａの脚載せ面上に取り付けられた各スライドレール４Ａ１に対してスライド可能に組み付けられた状態となっている。これにより、スライド板４Ｄが、オットマン本体４Ａに対して前後スライド自在にガイドされた状態として取り付けられた状態となっている。上記スライド板４Ｄは、図４〜図６に示すように、クッションパッド３Ｃの裏面部に一体的に取り付けられており、オットマン本体４Ａが展開収納される動きに合わせてクッションパッド３Ｃと一緒にオットマン本体４Ａに対してスライドすることにより、図６に示すようにクッションパッド３Ｃのオットマン本体４Ａから前側に迫り出した部分を下方側からあてがえて支持した状態をとれるようになっている。
【００３０】
なお、上述したクッションパッド３Ｃの表面部には、表皮材３Ｄが張設されている。この表皮材３Ｄも、シートクッション３の着座面上に張設された表皮材３Ｄの一部が前側に延長されて形成されたものであり、シートクッション３からオットマン４までをひと続きに覆った状態となって設けられている。
【００３１】
このように、本実施例の車両用シート１の構成によれば、オットマン４を横壁５（ベース）に対して長孔４Ｃ１とスライドピン５Ｐの連結構造により連結し、このオットマン４にシートバック２の姿勢変化に伴う動作移動量を伝達する伝達部材（本実施例ではシートクッション３の各サイドフレーム３Ａが伝達部材の役割を果たしている。）を設定した簡素な構成により、シートクッション３を通常使用位置（図４の状態）から所定の安楽姿勢位置（図６の状態）へと姿勢変化させたりその逆の動作をさせたりすることで、オットマン４を連動させて展開収納させられる構成を得ることができる。このように、オットマン４を収納展開させる構成を少ない部品点数で合理的に構成することができる。
【００３２】
また、上記したように、伝達部材が、シートバック２とオットマン４とを連結しシートクッション３の骨格を成す骨格部材（サイドフレーム３Ａ）により構成されていることにより、シートバック２の背凭れ角度を通常使用位置から安楽姿勢位置へと倒し込むことにより、シートクッション３を前方側へスライドさせると共に、オットマン４を所定の展開位置へと展開させることができるようになっている。これにより、シートバック２を安楽姿勢に切り替える動作に合わせて、シートクッション３も上記安楽姿勢に対応した前方側の位置へスライドさせることができ、より合理的な構成で、オットマン４を含めた車両用シート１の姿勢全体を、通常姿勢と安楽姿勢とに切り替えることができる。
【００３３】
また、伝達部材（シートクッション３の各サイドフレーム３Ａ）が、シートバック２を安楽姿勢に切り替える動作により、その前部（３Ｆ）が前方斜め上方側に移動するように横壁５（ベース）に対して支持されていることにより、伝達部材（各サイドフレーム３Ａ）が前側に押し動かされる動作によって、伝達部材（各サイドフレーム３Ａ）とオットマン４との連結部が前方斜め上方側に効率的に押し動かされるようになる。したがって、長孔４Ｃ１の形状を立ち上げる形状にしなくても、上記伝達部材（シートクッション３の各サイドフレーム３Ａ）の動きによって、オットマン４を効率的に前方斜め上方側（足載せ位置を上げる方向）に動かしながら上向きに回転させられるようにすることができる。
【実施例２】
【００３４】
続いて、実施例２の車両用シート１の構成について、図７〜図８を用いて説明する。なお、本実施例では、実施例１で示した車両用シート１と実質的な構成及び作用が同じとなる箇所については、これらと同一の符号を付して説明を省略し、異なる箇所について詳しく説明することとする。本実施例では、図７〜図８に示すように、オットマン４の展開収納動作が、シートバック２の動きには関係なく、シートクッション３の着座位置を前後させる動作に連動して行われるようになっている。すなわち、本実施例では、シートバック２を通常使用位置から安楽姿勢位置まで傾倒させる動作と、シートクッション３を通常使用位置から安楽姿勢位置まで移動させる動作と、が別で行われるようになっており、シートクッション３が上記安楽姿勢位置まで動かされる動作に連動してオットマン４が展開される構成となっている。
【００３５】
具体的には、シートクッション３の前後移動は、シートクッション３の車両外側（内側でもよい。）のサイドフレーム３Ａと同側の横壁５（ベース板５Ｂ）との間に設けられた電動モータ８による駆動によって行われるようになっている。上記電動モータ８は、上記横壁５（ベース板５Ｂ）に連結ピン８Ｐ１によって回転可能に軸連結された状態として設けられており、電動モータ８の駆動により回転する送りネジ８Ａに螺合された送りナット８Ｂが、上記シートクッション３のサイドフレーム３Ａの後部に連結ピン８Ｐ２によって回転可能に軸連結された状態とされている。上記構成により、電動モータ８が駆動して送りネジ８Ａが回転すると、送りナット８Ｂが前後に送られて、シートクッション３のサイドフレーム３Ａが実施例１で説明した動きと同じ態様で前後移動する。なお、上記駆動とは別で行われるシートバック２の傾倒動作を、他の駆動装置を用いて、上記シートクッション３の動作と一緒に合わせて行うようにしてもよい。
【００３６】
以上、本発明の実施形態を２つの実施例を用いて説明したが、本発明は上記実施例のほか各種の形態で実施することができるものである。例えば、実施例１では、シートバック２の動きをオットマン４に伝達する伝達部材を、シートクッション３の骨格（サイドフレーム３Ａ）としたものを例示したが、シートクッションの骨格ではない別設定の部材を伝達部材として設定しても良い。ただし、この場合には、シートクッションを安楽姿勢に切り替える操作が、シートバックの動きには連動しないものとなる。また、伝達部材は、シートクッションの動きをオットマンに伝達する部材として、シートクッションの骨格とは別に設定された部材から成るものであってもよい。
【００３７】
また、オットマンとベースとの連結構造である長孔とスライドピンの係合構造は、上記実施例では、オットマン４に長孔４Ｃ１が形成され、ベース板５Ｂ（ベース）にスライドピン５Ｐが設けられた構成をを例示したが、オットマンにスライドピンを設定し、ベースに長孔を設定したものであってもよい。また、上記実施例では、伝達部材（シートクッション３のサイドフレーム３Ａ）が、シートバック２を後傾させる動作に連動して、その前部（３Ｆ）が前方斜め上方側に移動するように構成されたものを示したが、伝達部材は、単に、真っ直ぐ前方側に動かされる構成であってもよい。但し、この場合には、上記の動きに連動してオットマンを上向きに回転させられるように、スライドピンをスライドさせる長孔の形状を、上方側に大きく立ち上げる形状にしなければならず、初期時の高さ方向のスペースが嵩張る構成となってしまうことに留意が必要である。
【００３８】
また、オットマンを、ベースに対して、伝達部材との連結点とは異なる位置（例えば高い位置）でヒンジ連結して設けてもよい。こうした場合でも、伝達部材が前方側に押し動かされることで、オットマンをベースとの連結点を起点に前に起こし上げられる構成とすることができる。
【符号の説明】
【００３９】
１      車両用シート
２      シートバック
２Ａ    サイドフレーム
２Ｂ    延出部
３      シートクッション
３Ｆ    前部
３Ｆａ  フロントフレーム
３Ａ    サイドフレーム（伝達部材）
３Ｂ    延出部
３Ｃ    クッションパッド
３Ｄ    表皮材
３Ｐ１  連結ピン
３Ｐ２  スライドピン
３Ｐ３  連結ピン
４      オットマン
４Ａ    オットマン本体
４Ａ１  スライドレール
４Ｂ    サイドフレーム
４Ｃ    アーム部
４Ｃ１  長孔（長孔）
４Ｄ    スライド板
４Ｄ１  スライダ
５      横壁
５Ａ    アームレスト
５Ｂ    ベース板（ベース）
５Ｃ    長孔
５Ｐ    スライドピン（スライドピン）
６      リクライニング装置
６Ａ    中心点
７      スライド装置
８      電動モータ
８Ａ    送りネジ
８Ｂ    送りナット
８Ｐ１  連結ピン
８Ｐ２  連結ピン
【図１】
2013169387.tif 000003
【図２】
2013169387.tif 000004
【図３】
2013169387.tif 000005
【図４】
2013169387.tif 000006
【図５】
2013169387.tif 000007
【図６】
2013169387.tif 000008
【図７】
2013169387.tif 000009
【図８】
2013169387.tif 000010